(57)【要約】【課題】本発明は浴室内の換気、送風を効率よく行うことにより、短時間に乾燥できる浴室ユニットを提供することを目的とする。【解決手段】浴室４の内部の壁パネル５と天井６の接合部７近傍に送風手段８を設けることにより、浴室内の空気の循環を効率的に行うことができ、浴室内を短時間に乾燥することができる浴室ユニットを提供することができる。【選択図】図１
2006078131.tif 000002
【特許請求の範囲】
【請求項１】
浴室の壁パネルと天井の接合部近傍に送風手段を設けた浴室ユニット。
【請求項２】
天井に換気手段を設け、前記換気手段と送風手段を連動運転する請求項１に記載の浴室ユニット。  
【請求項３】
前記換気手段を換気乾燥機とした請求項２に記載の浴室ユニット。
【請求項４】
前記送風手段をクロスフローファンとした請求項１〜３のいずれか１項に記載の浴室ユニット。
【請求項５】
前記送風手段の前面にシェードを設けた請求項１〜４のいずれか１項に記載の浴室ユニット。
【請求項６】
浴室洗い場に暖房手段を設け、換気手段と送風手段と前記暖房手段を連動運転する請求項２〜５のいずれか１項に記載の浴室ユニット。
【請求項７】
浴室に湯噴霧手段を設け、送風手段と前記湯噴霧手段を連動運転する請求項１〜６記載の浴室ユニット。
【請求項８】
送風手段を浴室の対向する壁パネルと天井接合部近傍に複数設けた請求項１〜７記載の浴室ユニット。
【請求項９】
前記シェードの隠蔽部内に照明を設けた請求項５〜８記載の浴室ユニット。
【発明の詳細な説明】
【技術分野】
【０００１】
本発明は浴室の送風、換気および乾燥に関するものである。
【背景技術】
【０００２】
従来、この種の浴室ユニットは循環用送風機能を備えた換気送風装置を浴室の天井に設け、換気送風装置下面の吸気部から吸気すると共に換気送風装置下面の排気部３から浴室の洗い場の床面に向けて吹き出すことにより浴室内を乾燥していた（例えば、特許文献１参照）。
【０００３】
図４は、特許文献１に記載された従来の浴室ユニットを示すものである。図４に示すように換気送風装置１を浴室の天井に設置し、換気送風装置１の吸気部２と排気部３はともに下方に向いた構成となっている。
【特許文献１】特開平１０−２９０８９６号公報
【発明の開示】
【発明が解決しようとする課題】
【０００４】
しかしながら、前記従来の構成では、換気送風装置が床面に向けて吹き出すため、天井や壁面には直接送風が当たらないため、天井や壁面が乾燥しにくいという課題を有していた。
【０００５】
本発明は、前記従来の課題を解決するもので、浴室内の送風循環を効率よく行い、浴室全体を短時間に乾燥する浴室ユニットを提供することを目的とする。
【課題を解決するための手段】
【０００６】
前記従来の課題を解決するために、本発明の浴室ユニットは、浴室内部の壁パネルと天井接合部近傍に送風手段を設けたものである。
【０００７】
これによって、浴室内の風の流れがスムーズになり浴室内の送風循環を効率よく行うことができる。
【０００８】
また、本発明の浴室ユニットは、送風手段を壁パネルと天井接合部近傍に設けているため目立たず、天井や壁への送風もスムーズである。
【発明の効果】
【０００９】
本発明の浴室ユニットは、浴室内の風の流れがスムーズになり浴室内の送風循環を効率よく行うことができる。また浴室内を早く乾燥することができる。
【発明を実施するための最良の形態】
【００１０】
第１の発明は浴室の壁パネルと天井の接合部近傍に送風手段を設けたことにより、浴室内の風の流れが壁パネルおよび天井に沿ってスムーズに流れるようになり、浴室内の送風循環を効率よく行い、特に、壁パネル、天井の乾燥を効果的に行うことができる。
【００１１】
第２の発明は、第１の発明の天井に換気手段を設け、前記換気手段と送風手段を連動運転することにより、浴室内の送風循環をよりスムーズに行い、効率をアップすると共に換気性能もアップすることができ、乾燥性能を向上することができる。
【００１２】
第３の発明は、第２の発明の換気手段を換気乾燥機とすることにより、浴室内の空気を循環および換気するとともに循環する空気の温度が上昇するため、より乾燥性能がアップする。
【００１３】
第４の発明は、第１〜３のいずれか１つの発明の送風手段をクロスフローファンとすることにより幅の広い空気を循環することができるため、壁パネルおよび天井の大きい面積に風をあてることができるため乾燥、送風性能がアップする。
【００１４】
第５の発明は、第１〜４のいずれか１つの発明の送風手段の前面にシェードを設けることにより、送風をより確実に壁面パネルと天井に沿って送ることにより、壁面パネルと天井の乾燥性能をよりアップすることができ、しかも送風手段を隠すためデザイン性が優れたものになる。
【００１５】
第６の発明は、第２〜５のいずれか１つの発明の浴室洗い場に暖房手段を設け、換気手段と送風手段と前記暖房手段を連動運転することにより、壁パネルと天井に加え洗い場も短時間で乾燥することができるため浴室全体を短時間で乾燥できる。
【００１６】
第７の発明は、第１〜６のいずれか１つの発明の浴室に湯噴霧手段を設け、送風手段と前記湯噴霧手段を連動運転することにより浴室内に霧状の湯を均一に拡散することができるため浴室内の温度と霧の分布が均一になり使用者に快適感をもたらす。
【００１７】
第８の発明は、第１〜７のいずれか１つの発明の送風手段を浴室の対向する壁パネルと天井接合部近傍に複数設けることにより、対向する壁パネルと天井により効果的に各風をあてることができるため、天井、壁パネル全体をより早く乾燥することができる。
【００１８】
第９の発明は、第５〜８のいずれか１つの発明のシェードの隠蔽部に照明を設けることにより、照明は前面が隠蔽され、間接照明として浴室内を照明するとともに、ファンの回転に照明があたって天井や壁パネルに動的に変化をする光が投影され、浴室内の演出照明の効果を高めることができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における浴室ユニットの断面図を示すものである。
【００２１】
図１において、浴室４は周囲に設置した塩ビシートで表面を化粧処理した塩ビ鋼板からなる壁パネル５と塩ビ鋼板からなる天井６を接合し、壁パネル５と天井６の接合部７近傍に送風手段８を設けてある。送風手段８はプロペラ式のファンとモータで構成しており、浴室内に設けるため防水構造を備えている。
【００２２】
送風手段８の前面には送風手段８を隠蔽する断面略半円形状の金属製のシェード９が設置してあり、浴室内から直接送風手段８が見えたり、使用者が接触しない構成となっており、シェード９の上端部と天井６間およびシェード９の下端部と壁パネル５間には適度な隙間を備えており、送風手段８を作動することにより、天井側より吸気し壁パネル側へ送風できる構成となっている。
【００２３】
送風手段８と対向する側の天井６には換気手段１０が設置してあり、換気手段１０は下面に吸気口１０ａと送風手段８側の側面より循環排気する循環口１０ｂを備えると共に、上部には屋外に連通するダクト１１に接続した排気口１０ｃを備えており、吸気口１０ａより吸気した空気の一部を循環口１０ｂより浴室４内に循環し、残りを排気口１０ｃより屋外に排気する構成であり、また内部には循環する空気を加熱するヒータを備えており切り換えスイッチの操作により浴室内に温風を循環することができる。
【００２４】
浴室の脱衣室側の壁パネル５または浴室ドアにはガラリ１２が設置してあり、浴室外の乾燥した空気を吸気できる構成となっている。
【００２５】
また、浴室の洗い場１３にはヒータからなる暖房手段１４が埋設してあり、暖房手段１４に通電することにより床面を加熱し浴室全体を暖房することができる構成となっている。
【００２６】
また、壁パネル５の下部には電磁弁等の制御部品とノズルを主構成部品とする湯噴霧手段１５が設けてあり、給湯機から供給する比較的高温（６０度程度）の湯をノズルより浴室内に噴霧しミスト浴が得られる構成となっている。
【００２７】
以上のように構成された浴室ユニットについて、以下その動作、作用を説明する。
【００２８】
入浴後、送風手段８と換気手段１０を連動して運転を行うと、ガラリ１２から浴室４内に吸気した乾燥した空気は矢印１６ａに示すように洗い場１３や奥側の壁パネル５に沿って流れながら浴室４内の湿気を吸収し、矢印１６ｂに示すように換気手段１０の吸気口１０ａより吸引され、一部は排気口１０ｃよりダクト１１を通って矢印１６ｃに示すように屋外に排気され、残りは循環口１０ｂより浴室４内に再び排出され、矢印１６ｄに示すように天井６面に沿って送風手段８の上部より吸引され、送風手段８で加速され下部より排出され、矢印１６ｅで示すように壁パネル５に沿って洗い場１３に向かって送風される。
【００２９】
上記送風動作を連続的に繰り返して実施することにより、浴室内の湿気は送付される空気に吸収され、ダクトを介して屋外に排出されることにより、浴室内が乾燥される。特に送風手段を設けたことにより、浴室内を循環する空気は壁パネルおよび洗い場に沿って流れるようになるため、入浴中に使用した湯水や結露水が多く存在するする壁パネルと洗い場を効果的に短時間に乾燥することができる。
【００３０】
なお、換気手段１０に内蔵するヒータは切り換えスイッチにより操作が可能となっており、ヒータを作動させることにより、循環排気口１０ｂより循環する空気は温風となり、より浴室内の乾燥を促進することができる。
【００３１】
以上の作用では換気手段と送風手段を連動して運転したが、屋外に開放した窓が設置してある浴室であれば、換気手段を運転することなく、窓を開放して送風手段のみを運転することにより、浴室内を効果的に乾燥することができる。
【００３２】
また、洗い場１３に埋設した暖房手段１４を送風手段８と連動して運転することにより洗い場１３の表面温度および浴室内全体の温度が上昇するため乾燥時間をより短縮することが可能となり、特に一番水分の多い洗い場を効果的に乾燥することができる。
【００３３】
また、浴室４の壁パネル５の下部に設置した湯噴霧手段１５と送風手段８を連動運転することにより、従来湯噴霧手段１５によるミスト浴時は浴室の高さにより温度差が出やすかったものを、送風手段と連動運転することにより噴霧湯１７を浴室内全体に均一化した温度で充満することができるため快適なミスト浴が得られる。
【００３４】
なお、換気手段１０は前記のような換気手段下部から吸気して、側面から天井にそって循環排気する循環口を備えた構成がベストであるが、一般の換気手段のように換気手段下部から吸気して浴室外に排気のみを行う循環機能を備えていない構成でも送風手段と連動すれば十分な換気乾燥効果が得られる。
【００３５】
また、本実施の形態では、シェード９は金属製としたが、これに限るものではなく各種の樹脂材料や無機質の材料を使用することが可能であり、また送風手段を完全に隠蔽する不透明なものに加え半透明の材料を使用することにより、より見栄えがよくデザイン性を向上することも可能である。
【００３６】
（実施の形態２）
図２は、本発明の第２の実施の形態の浴室ユニットの斜視図を示すものである。
【００３７】
本実施の形態では図に示すように、浴室４内の対向する壁パネル５と天井６の接合部７の近傍にそれぞれ送風手段１８を配設しており、前記送風手段１８はクロスフローファン１９を２台づつ直列に並べて設置しており、壁パネル５のほぼ全幅をカバーしている。送風手段１８の前面には送風手段を１８を隠蔽するシェード９が設置してある。
【００３８】
天井６のほぼ中央に換気手段２０が設置してあり、換気手段２０は下面に吸気口２０ａと送風手段１８に対向する両側面に循環排気口２０ｂと上部にはダクト１１に接続した排気口２０ｃを備えている。
【００３９】
なお、実施の形態１と同一符号のものは同一構造とし説明は省略する。
【００４０】
本実施の形態では、両側の送風手段１８を同時運転することにより、両方の送風手段１８から排気した空気は矢印２１ａ〜２１ｊに示すように浴室４の洗い場１３の中央部付近でぶつかり換気手段１８の吸気口１８ａから吸気するため浴室の右半分、左半分を分けて半分の体積を換気送風できるため浴室の換気乾燥を短時間で行うことができる。
【００４１】
また、送風手段１８を個別に運転するとより新たな効果を得ることが可能となり、たとえば左右交互に運転すると使用電力は１個分で１個分以上の乾燥性能を得ることができる。
【００４２】
さらに、両方の換気手段１８を同時に間欠運転する時間を設けるシーケンス動作にすると効率的に換気乾燥を行うことができる。
【００４３】
（実施の形態３）
図３は、本発明の第３の実施の形態における浴室ユニットの断面図を示すものである。
【００４４】
本実施の形態では送風手段２２を隠蔽するシェード９の隠蔽部に照明２３を設けた構成となっている。
【００４５】
なお、実施の形態１と同一符号のものは同一構造とし説明は省略する。
【００４６】
シェード９の隠蔽部に照明２３を設置することにより浴室４全体の証明は間接照明となり、浴室空間の雰囲気が向上することができ、特に、送風手段２２の回転部に照明があたって反射した動的な光が浴室天井または壁パネルに投影し演出効果を高めることができる。浴室を暗くして行った場合ミラーボールのような効果がある。
【００４７】
隠蔽部の照明２３の取り付け位置は特に指定しなくともよいが、送風手段としてクロスフローファンを使用する場合は、ファンの内部に照明を組み込むことにより、より演出効果を高めることができる。
【００４８】
また、送風手段の回転数を高速回転と低速回転を切替える構成とし、入浴中に低速回転で運転すれば、光の投影をより見やすくでき演出効果を高めることができる。
【００４９】
また、シェード９に貫通穴を設けておくと貫通穴から光が漏れ、別の演出効果を発揮することができる。
【００５０】
照明は蛍光灯でもよいし白熱球でもよい。また蛍光灯はカラー球にするとさらに演出効果が高まる。
【図面の簡単な説明】
【００５１】
【図１】本発明の実施の形態１における浴室ユニットの断面図
【図２】本発明の実施の形態２における浴室ユニットの斜視図
【図３】本発明の実施の形態３における浴室ユニットの断面図
【図４】従来の浴室ユニットの断面図
【符号の説明】
【００５２】
４  浴室
５  壁パネル
６  天井
７  接合部
８、１８、２２  送風手段
９  シェード
１０、２０  換気手段
１３  洗い場
１４  暖房手段
１５  湯噴霧手段
１９  クロスフローファン
２２  照明
【図１】
2006078131.tif 000003
【図２】
2006078131.tif 000004
【図３】
2006078131.tif 000005
【図４】
2006078131.tif 000006